(57)【要約】【課題】タッチパネルに機械スイッチが設けられるものにおいて、機械スイッチによるタッチ操作領域の減少を抑制可能とする操作装置を提供する。【解決手段】ユーザの指によるタッチ操作が可能なタッチパネル１２０と、タッチパネルに対する入力用の機械スイッチ１３０Ａ、１３０Ｂと、を備え、指によるタッチ操作、あるいは機械スイッチによるスイッチ操作によって、所定の機器１０に対する入力操作を可能とする操作装置において、機械スイッチは、スイッチ操作によって回転される回転式のスイッチであり、機械スイッチには、機械スイッチの回転位置を、タッチパネルに対して入力するための入力部材１３３が、回転方向に複数設けられており、機械スイッチは、回転操作される際に、複数の入力部材のうち、少なくとも１つがタッチパネル上に位置するように、タッチパネルの領域から一部がはみ出して配置されている。【選択図】図１
2017182192.tif 000002
【特許請求の範囲】
【請求項１】
ユーザの指によるタッチ操作が可能なタッチパネル（１２０）と、
前記タッチパネルに対する入力用の機械スイッチ（１３０Ａ、１３０Ｂ）と、を備え、
前記指による前記タッチ操作、あるいは前記機械スイッチによるスイッチ操作によって、所定の機器（１０）に対する入力操作を可能とする操作装置において、
前記機械スイッチは、前記スイッチ操作によって回転される回転式のスイッチであり、
前記機械スイッチには、前記機械スイッチの回転位置を、前記タッチパネルに対して入力するための入力部材（１３３）が、回転方向に複数設けられており、
前記機械スイッチは、回転操作される際に、複数の前記入力部材のうち、少なくとも１つが前記タッチパネル上に位置するように、前記タッチパネルの領域から一部がはみ出して配置されている操作装置。
【請求項２】
画像を表示する表示器（１１０）を備え、前記画像が前記タッチパネルを透過して視認されるようになっている請求項１に記載の操作装置。
【発明の詳細な説明】
【技術分野】
【０００１】
本発明は、指のタッチ操作による入力を可能とするタッチパネルに、機械スイッチが設けられた操作装置に関するものである。
【背景技術】
【０００２】
従来の操作装置として、例えば、特許文献１に記載されたものが知られている。特許文献１の操作装置（入力デバイス）は、画像が表示されると共に、指によるタッチ操作入力を可能とするタッチパネル（マルチタッチ感知ディスプレイ）と、機械スイッチ（機械的制御要素）と、制御部（プロセッシングユニット）とを備えている。機械スイッチは、タッチパネルの操作面の領域内（タッチ感応性表面の領域内）に複数設けられている。
【０００３】
タッチパネルとしては、静電容量式や光学式等が用いられている。機械スイッチとしては、例えば、回転ノブが使用され、回転ノブのタッチパネル面側にはタッチパネルの方式に応じたトリガ要素が設けられている。トリガ要素は、タッチパネルによりその位置が検出され、制御部にて回転ノブの回転角度が検出されるようになっている。そして、制御部は、回転ノブの回転角度に応じて、オーディオミキシングデバイスに対する入力指示を行うようになっている。
【先行技術文献】
【特許文献】
【０００４】
【特許文献１】特開２０１０−１２３１２３号公報
【発明の概要】
【発明が解決しようとする課題】
【０００５】
しかしながら、上記特許文献１の操作装置では、機械スイッチは、タッチパネルの操作面の領域内に配置されるようになっているので、タッチパネル上において、通常のタッチ操作を行うための操作領域が機械スイッチの分だけ減少される。尚、機械スイッチの近傍は、実質的には、指操作のしにくい領域となるので、有効な指操作領域は、機械スイッチの領域分、以上に減少されることになる。
【０００６】
本発明の目的は、上記問題に鑑み、タッチパネルに機械スイッチが設けられるものにおいて、機械スイッチによるタッチ操作領域の減少を抑制可能とする操作装置を提供することにある。
【課題を解決するための手段】
【０００７】
本発明は上記目的を達成するために、以下の技術的手段を採用する。
【０００８】
本発明では、ユーザの指によるタッチ操作が可能なタッチパネル（１２０）と、
タッチパネルに対する入力用の機械スイッチ（１３０Ａ、１３０Ｂ）と、を備え、
指によるタッチ操作、あるいは機械スイッチによるスイッチ操作によって、所定の機器（１０）に対する入力操作を可能とする操作装置において、
機械スイッチは、スイッチ操作によって回転される回転式のスイッチであり、
機械スイッチには、機械スイッチの回転位置を、タッチパネルに対して入力するための入力部材（１３３）が、回転方向に複数設けられており、
機械スイッチは、回転操作される際に、複数の入力部材のうち、少なくとも１つがタッチパネル上に位置するように、タッチパネルの領域から一部がはみ出して配置されていることを特徴としている。
【０００９】
この発明によれば、機械スイッチ（１３０Ａ、１３０Ｂ）は、タッチパネル（１２０）の領域から一部がはみ出すように配置されているので、機械スイッチによって、タッチパネルにおける指操作可能なタッチ領域が減少される分を、小さくすることが可能となる。
【００１０】
ここで、機械スイッチには、タッチパネルに対する入力部材（１３３）が、回転方向に複数設けられており、機械スイッチが回転操作される際に、複数の入力部材のうち、少なくとも１つがタッチパネル上に位置するように設けられている。したがって、上記のように、タッチパネルの領域から機械スイッチの一部がはみ出すものであっても、回転操作時にタッチパネル上を少なくとも１つの入力部材が移動する。よって、機械スイッチの回転位置および回転量がタッチパネルによって連続的に検知されることとなり、タッチパネルに対して、機械スイッチによる回転操作入力が可能となる。
【００１１】
尚、上記各手段の括弧内の符号は、後述する実施形態記載の具体的手段との対応関係を示すものである。
【図面の簡単な説明】
【００１２】
【図１】第１実施形態における操作装置の全体構成を示す説明図である。
【図２】図１における機械スイッチの構造を示す説明図である。
【図３】第２実施形態における操作装置の全体構成を示す説明図である。
【図４】その他の実施形態における機械スイッチを示す説明図である。
【図５】図４における機械式スイッチの構造を示す説明図である。
【発明を実施するための形態】
【００１３】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１４】
（第１実施形態）
第１実施形態の操作装置１００について、図１、図２を用いて説明する。操作装置１００は、例えば、車両用として設定されている。操作装置１００は、ユーザが、タッチパネル１２０に対して、指によるタッチ操作を行う、あるいは機械スイッチ１３０Ａ、１３０Ｂによるスイッチ操作を行うことが可能となっている。そして、これらの操作に基づいて、制御装置１５０によって、ディスプレイ１１０における画像の表示状態が制御されると共に、車両に搭載される所定の機器１０の作動条件が設定され（入力操作され）、作動状態が制御される装置となっている。所定の機器１０は、例えば、車両用空調装置、車両用オーディオ装置、あるいはカーナビゲーション装置等である。
【００１５】
操作装置１００は、図１に示すように、ディスプレイ１１０、タッチパネル１２０、機械スイッチ１３０Ａ、１３０Ｂ、タッチ検出装置１４０、および制御装置１５０等を備えている。ディスプレイ１１０、タッチパネル１２０、および機械スイッチ１３０Ａ、１３０Ｂは、入力部を形成し、車両のインストルメントパネルの例えば中央部に配置されて、ユーザから見やすく、またユーザが操作（タッチ操作、スイッチ操作）しやすいように設けられている。また、タッチ検出装置１４０、および制御装置１５０は、インストルメントパネル内に配置されている。
【００１６】
ディスプレイ１１０は、ユーザ側から見た正面形状が横長の四角形（矩形状）を成す画像表示用の表示器となっており、例えば、液晶ディスプレイ、有機ＥＬディスプレイ等によって構成されている。ディスプレイ１１０には、制御装置１５０によって、所定の機器１０の作動状態、および作動条件を入力するための各種アイコン等が画像として表示されるようになっている。各種アイコンは、入力項目が大別されたメニューアイコン、更に具体的な作動条件を設定するための設定アイコン等が、階層的に設けられたものとなっており、ディスプレイ１１０の表示面の所定領域に表示されるようになっている。
【００１７】
タッチパネル１２０は、ユーザの指によるタッチ操作（タッチ入力）を可能とするものである。また、タッチパネル１２０は、機械スイッチ１３０Ａ、１３０Ｂのスイッチ操作に基づく入力も可能としている。タッチパネル１２０は、透明で、上記ディスプレイ１１０の表示面に対応する四角形（矩形状）の板状を成す検知部であり、ディスプレイ１１０の表示面（表面）に重なるように設けられている。タッチパネル１２０のタッチ操作、およびスイッチ操作が行われる側の面（ユーザ側の表面）は、タッチ面１２１となっている。ディスプレイ１１０における所定の機器１０の作動状態、および各種アイコン等は、タッチパネル１２０を透過してユーザに視認されるようになっている。
【００１８】
タッチパネル１２０としては、例えば、静電容量式のもの、抵抗膜式のもの、超音波表面弾性波式のもの、光学式のもの、あるいは電磁誘導式のもの等、各種タイプのものを使用することができる。本実施形態では、タッチパネル１２０は、静電容量式（自己容量方式）のものが使用されている。静電容量式のタッチパネル１２０には、マトリックス状に形成された複数の透明な電極が設けられている。
【００１９】
タッチパネル１２０は、ユーザのタッチ操作による指の位置に応じて生ずる静電容量の変化（静電容量の変化信号）をタッチ検出装置１４０に出力するようになっている。また、同様に、タッチパネル１２０は、ユーザの機械スイッチ１３０Ａ、１３０Ｂを用いたスイッチ操作による入力部材１３３（詳細後述）の位置に応じて生ずる静電容量の変化（静電容量の変化信号）をタッチ検出装置１４０に出力するようになっている。
【００２０】
機械スイッチ１３０Ａ、１３０Ｂは、例えば、扁平な円筒状を成して、後述するように、ユーザの回転操作によって、所定の機器１０に対する入力操作を可能とする回転式のスイッチとなっており、タッチパネル１２０の所定部位に所定数、設けられている。ここでは、図１に示すように、機械スイッチ１３０Ａ、１３０Ｂは、２つ設けられている。
【００２１】
機械スイッチ１３０Ａ、１３０Ｂは、所定の機器１０の作動設定値を調節するためのスイッチとなっている。例えば、所定の機器１０を車両用空調装置としたとき、機械スイッチ１３０Ａは、作動設定値として設定温度を調節するためのスイッチとなっており、また、機械スイッチ１３０Ｂは、作動設定値として風量を調節するためのスイッチとなっている。各機械スイッチ１３０Ａ、１３０Ｂが左側（反時計回り）に回転操作されると、作動設定値がより小さくなる側に変更され、また、右側（時計回り）に回転操作されると、作動設定値がより大きくなる側に変更されるようになっている。
【００２２】
そして、機械スイッチ１３０Ａ、１３０Ｂは、それぞれの一部がタッチパネル１２０の領域から、はみ出すように配置されている。また、機械スイッチ１３０Ａ、１３０Ｂは、矩形状のタッチパネル１２０の上側の辺を除く他の３辺の領域内に配置されている。
【００２３】
例えば、機械スイッチ１３０Ａは、四角形のタッチパネル１２０の下側の辺上に回転中心（固定部１３１）を有して、タッチパネル１２０の左端部に配置されており、機械スイッチ１３０Ａの下側半分がタッチパネル１２０の領域からはみ出している。また、例えば、機械スイッチ１３０Ｂは、四角形のタッチパネル１２０の右下角部に回転中心（固定部１３１）を有して、タッチパネル１２０の右端部に配置されており、機械スイッチ１３０Ｂの右側と下側とを合わせた３／４の領域がタッチパネル１２０の領域からはみ出している。
【００２４】
機械スイッチ１３０Ａ、１３０Ｂは、図２に示すように、固定部１３１、可動部１３２、および入力部材１３３等を有している。
【００２５】
固定部１３１は、機械スイッチ１３０Ａ、１３０Ｂの回転軸となるものであり、円柱状に形成されている。固定部１３１は、例えば、樹脂材から形成されている。機械スイッチ１３０Ａ用の固定部１３１は、一端側が四角形のタッチパネル１２０の下側の辺上で、左端部側に接合されて、固定されている。また、機械スイッチ１３０Ｂ用の固定部１３１は、一端側が四角形のタッチパネル１２０の右下角部に接合されて、固定されている。
【００２６】
可動部１３２は、機械スイッチ１３０Ａ、１３０Ｂの本体部（ダイヤル部）となるものであり、扁平な円筒状を成して、ユーザ側が閉塞されるように形成されている。可動部１３２は、例えば、樹脂材から形成されている。可動部１３２は、中心側の空間部に固定部１３１が挿入されることで、固定部１３１に対して回転可能に支持されている。
【００２７】
入力部材１３３は、機械スイッチ１３０Ａ、１３０Ｂの回転位置をタッチパネル１２０に対して入力するための部材である。入力部材１３３は、導電性の部材から形成され、タッチ操作時の指先に相当する部材となっており、各機械スイッチ１３０Ａ、１３０Ｂのタッチパネル１２０と対向する面において、それぞれ回転方向（周方向）に複数並ぶように設けられている。入力部材１３３は、各機械スイッチ１３０Ａ、１３０Ｂが回転操作される際に、複数の入力部材１３３のうち、少なくとも１つがタッチパネル１２０上に位置する（出現する）ように、最小設定数が決められている。
【００２８】
例えば、機械スイッチ１３０Ａにおいては、下側半分がタッチパネル１２０からはみ出していることから、入力部材１３３は、中心位置（固定部１３１）を挟んで、互いに対向するように、つまり、回転方向において１８０度ピッチとなるように、２つ設けられている。
【００２９】
また、例えば、機械スイッチ１３０Ｂにおいては、右側と下側とを合わせた３／４の領域がタッチパネル１２０の領域からはみ出していることから、入力部材１３３は、回転方向において９０度ピッチとなるように、４つ設けられている。
【００３０】
尚、可動部１３２の周面、ユーザ側面の外周部、およびタッチパネル１２０側面の外周部には、各入力部材１３３に繋がるように導電性材によるメッキが施されて、ユーザが各機械スイッチ１３０Ａ、１３０Ｂを摘まんだときに、ユーザの指が、各入力部材１３３に導通するようになっている。つまり、タッチパネル１２０には、ユーザが各機械スイッチ１３０Ａ、１３０Ｂを摘まんでスイッチ操作を行うときに、入力部材１３３によって（入力部材１３３の位置に応じて）、タッチパネル１２０に静電容量の変化が生ずるようになっている。
【００３１】
タッチ検出装置１４０は、タッチ操作時において、タッチパネル１２０から出力される静電容量の変化信号を基に、ユーザの指が、タッチパネル１２０上のどこにあるか、あるいはどこからどこへ移動したかを検出して、検出信号（指の座標位置）を制御装置１５０へ出力するようになっている。
【００３２】
また、タッチ検出装置１４０には、予め各機械スイッチ１３０Ａ、１３０Ｂに関連する関連データが記憶されている。関連データとは、各機械スイッチ１３０Ａ、１３０Ｂの半径、タッチパネル１２０に対する各機械スイッチ１３０Ａ、１３０Ｂの中心位置等である。
【００３３】
そして、タッチ検出装置１４０は、上記関連データ、および入力部材１３３によるタッチパネル１２０での静電容量の変化信号をもとに、スイッチ操作時の複数の入力部材１３３が、タッチパネル１２０上のどこにあるか、あるいはどこからどこへ移動したかを検出して、検出信号（入力部材の回転方向および回転量）を制御装置１５０へ出力するようになっている（詳細後述）。
【００３４】
制御装置１５０は、タッチ検出装置１４０から出力される検出信号に基づいて、ディスプレイ１１０における各種アイコン、更には所定の機器１０の作動状態にかかる表示を制御すると共に、所定の機器１０の作動を制御するようになっている。
【００３５】
操作装置１００は、以上のように構成されており、以下、操作装置１００の作動について説明する。
【００３６】
まず、タッチパネル１２０に対するタッチ操作は、主に、運転動作を伴わない車両の停車時に、ユーザがディスプレイ１１０に表示される作動状態や、各種アイコンを見ながら、指によって行う操作となる。ユーザはタッチパネル１２０上で、所望するアイコンの位置にタッチすることで、タッチ検出装置１４０から検出信号（指の座標位置）が制御装置１５０に出力される。制御装置１５０は、ディスプレイ１１０における表示状態を制御すると共に所定の機器１０の作動を制御する。
【００３７】
一方、機械スイッチ１３０Ａ、１３０Ｂを用いたスイッチ操作は、主に、運転中において、ディスプレイ１１０の表示を注視せずとも、機械スイッチ１３０Ａ、１３０Ｂに対する手の感触をもって回転操作する、いわゆるブラインドタッチの操作となる。
【００３８】
機械スイッチ１３０Ａ、１３０Ｂに対してスイッチ操作が行われる場合は、タッチ検出装置１４０は、機械スイッチ１３０Ａ、１３０Ｂを摘まむ複数の指、およびタッチパネル１２０上に出現している入力部材１３３を検出することになる。この場合は、タッチ検出装置１４０は、予め記憶された関連データから、機械スイッチ１３０Ａ、１３０Ｂの外側の領域に位置する指の検出信号を削除して、入力部材１３３による検出信号のみを採用する。
【００３９】
即ち、タッチ検出装置１４０は、各機械スイッチ１３０Ａ、１３０Ｂの中心位置（以下、スイッチ中心位置）、および半径から、タッチパネル１２０上において、各機械スイッチ１３０Ａ、１３０Ｂの外側近傍領域にある指の検出信号を検出の対象から削除する。そして、各機械スイッチ１３０Ａ、１３０Ｂの内側領域にある入力部材１３３による検出信号のみを採用する。検出される入力部材１３３の移動軌跡は、タッチパネル１２０上で円弧を描くものとなる。
【００４０】
そして、タッチ検出装置１４０は、各機械スイッチ１３０Ａ、１３０Ｂにおける入力部材１３３の座標位置（後述する検出座標、計算座標等）から、各機械スイッチ１３０Ａ、１３０Ｂの回転方向、および回転量を算出する。
【００４１】
以下、タッチ検出装置１４０が行う、各機械スイッチ１３０Ａ、１３０Ｂの回転方向、および回転量の算出要領について、機械スイッチ１３０Ｂを例にして説明する。
【００４２】
１．前提
タッチ検出装置１４０は、機械スイッチ１３０Ｂのはみ出した領域を、タッチパネル１２０のタッチ面１２１上の２次元座標領域の一部として定義付けしている。また、タッチ検出装置１４０は、機械スイッチ１３０Ｂにおける４つの入力部材１３３の配置（中心位置、半径、周方向ピッチ（９０度））を記憶している。また、タッチ検出装置１４０は、微小な所定時間ごとに、位置検出を行うようになっている。以下、説明上、連続的に繰り返し行われる位置検出のうち、一つ前の検出タイミングを「直前」の検出タイミングとし、次の検出タイミングを「直後」の検出タイミングと呼ぶことにする。
【００４３】
タッチ検出装置１４０は、最初の検出段階で、タッチパネル１２０上にある入力部材１３３の位置座標を検出座標として算出すると共に、機械スイッチ１３０Ｂの中心位置、入力部材１３３が配置される半径および周方向ピッチから、タッチパネル１２０上にない他の３つの入力部材１３３の位置座標を計算座標として算出する。このように、タッチ検出装置１４０は、機械スイッチ１３０Ｂの周方向のどこに４つの入力部材１３３が配置されているかを算出することで、機械スイッチ１３０Ｂの周方向における向き算出する。
【００４４】
２．直後の位置座標検出
次に、機械スイッチ１３０Ｂのスイッチ操作が行われると、タッチ検出装置１４０は、上記の最初の段階を直前のタイミングとして、所定時間後の直後のタイミングにおけるタッチパネル１２０上の入力部材１３３の検出座標（直後の検出座標）を算出する。
【００４５】
３．直前と直後の比較
そして、直前における４つの入力部材１３３の座標のうち、直後の検出座標に最も近い入力部材１３３を算出する。
【００４６】
４．回転方向と回転量の算出、および更新
タッチ検出装置１４０は、上記のように直後の検出座標に最も近い直前の入力部材１３３が、直後の検出座標に移動したものと判断して、最も近い入力部材１３３の移動の向きおよび移動量を、機械スイッチ１３０Ｂの直前から直後に至る回転方向と回転量として算出する。
【００４７】
また、タッチ検出装置１４０は、直後におけるタッチパネル１２０上にない他の３つの入力部材１３３の計算座標を算出して、４つの入力部材１３３の座標位置を算出する。そして、タッチ検出装置１４０は、直後における機械スイッチ１３０Ｂの周方向における向き把握すると共に、４つの入力部材１３３の座標位置を更新（次の検出のための直前の座標位置に置き換え）する。
【００４８】
５．制御装置１５０への出力
タッチ検出装置１４０は、上記４で得た回転方向と回転量を制御装置１５０に検出信号として出力すると共に、所定時間ごとに上記２〜４を繰り返す。上記２〜４の繰り返しにより、機械スイッチ１３０Ｂが連続的にスイッチ操作される際のトータルの回転方向と回転量が把握されることになる。
【００４９】
尚、上記回転方向、回転量の算出要領において、機械スイッチ１３０Ｂを例にして説明したが、例えば、タッチパネル１２０のタッチ面１２１上に複数の入力部材１３３が同時に出現するように設定した場合であると、上記の直後の検出座標としては、複数の検出データのうちのいずれか１つを用いる、あるいは平均値を用いるようにすればよい。
【００５０】
そして、制御装置１５０は、タッチ検出装置１４０から出力される検出信号に基づいて、ディスプレイ１１０における所定の機器１０の作動状態にかかる表示を制御すると共に、所定の機器１０の作動を制御するようになっている。尚、制御装置１５０は、スイッチ操作された各機械スイッチ１３０Ａ、１３０Ｂの回転方向、および回転量に応じて、所定の機器１０の作動設定値（設定温度、あるいは風量）を変更する。
【００５１】
以上のように、本実施形態によれば、機械スイッチ１３０Ａ、１３０Ｂは、タッチパネル１２０の領域から一部がはみ出すように配置されているので、機械スイッチ１３０Ａ、１３０Ｂによって、タッチパネル１２０における指操作可能なタッチ領域が減少される分を、小さくすることが可能となる。
【００５２】
ここで、機械スイッチ１３０Ａ、１３０Ｂには、タッチパネル１２０に対する入力部材１３３が、回転方向に複数設けられており、機械スイッチ１３０Ａ、１３０Ｂが回転操作される際に、複数の入力部材１３３のうち、少なくとも１つがタッチパネル１２０上に位置するように設けられている。したがって、上記のように、タッチパネル１２０の領域から機械スイッチ１３０Ａ、１３０Ｂの一部がはみ出すものであっても、回転操作時にタッチパネル１２０上を少なくとも１つの入力部材１３３が移動する。よって、機械スイッチ１３０Ａ、１３０Ｂの回転位置および回転量がタッチパネル１２０によって連続的に検知されることとなり、タッチパネル１２０に対して、機械スイッチ１３０Ａ、１３０Ｂによる回転操作入力が可能となる。
【００５３】
また、本実施形態では、タッチパネル１２０は、ディスプレイ１１０の表示面に重なるように配置されるものとしており、機械スイッチ１３０Ａ、１３０Ｂは矩形状のタッチパネル１２０の上側の辺を除く他の３辺の領域内に配置されている。
【００５４】
これにより、機械スイッチ１３０Ａ、１３０Ｂを操作する際の手が、タッチパネル１２０に重なりにくくなり、指操作するときの手によって、ディスプレイ１１０の画像が隠れて見えにくくなることを抑制することができる。
【００５５】
（第２実施形態）
第２実施形態の操作装置１００Ａを図３に示す。第２実施形態の操作装置１００Ａは、上記第１実施形態の操作装置１００に対して、ディスプレイ１１０に対してタッチパネル１２０を別体として、ディスプレイ１１０と異なる位置に配置したものである。
【００５６】
本実施形態のタッチパネル１２０は、いわゆるタッチパッドであり、よりユーザの操作し易い位置、例えば、車両のセンターコンソールにおけるシフトレバーに隣接する位置等に設けられている。タッチパネル１２０には、上記第１実施形態と同様の機械スイッチ１３０Ａ、１３０Ｂが設けられている。
【００５７】
本実施形態においても、上記第１実施形態と同様に、複数の入力部材１３３のうち、少なくとも１つがタッチパネル（タッチパッド）１２０上に位置するように設けられると共に、タッチパネル１２０の領域から機械スイッチ１３０Ａ、１３０Ｂの一部がはみ出すように配置されている。よって、機械スイッチ１３０Ａ、１３０Ｂによる回転操作入力が可能となると共に、機械スイッチ１３０Ａ、１３０Ｂによって、タッチパネル１２０における指操作可能なタッチ領域が減少される分を、小さくすることが可能となる。
【００５８】
（その他の実施形態）
各機械スイッチ１３０Ａ、１３０Ｂの中心位置は、上記各実施形態に限定されるものでは無く、タッチ操作性、およびスイッチ操作性の観点から、種々変更が可能である。
【００５９】
例えば、図４、図５に示すように、機械スイッチ１３０Ａの中心位置をタッチパネル１２０の下側の辺の中間位置に配置してもよい。あるいは、機械スイッチ１３０Ｂの中心位置を、タッチパネル１２０の右側の辺から、入力部材１３３が配置される円の半径の１／２程度が外側に位置するものとしてもよい。この場合、入力部材１３３を回転方向に１２０度ピッチで３つ設けることで、少なくとも１つの入力部材１３３を、タッチパネル１２０上に出現させることができる。更に、機械スイッチ１３０Ａ、１３０Ｂは、タッチパネル１２０の上側の辺の領域に配置されるものとしてもよい。
【００６０】
また、機械スイッチ１３０Ａ、１３０Ｂのスイッチ操作に基づく、所定の機器１０への入力項目として、例えば、車両空調装置の設定温度、風量等としたが、これに限定されることなく、例えば、オーディオ装置のボリューム等とするなど、各種対応が可能である。
【００６１】
また上記各実施形態では、機械スイッチ１３０Ａ、１３０Ｂをタッチパネル１２０に対して、２つ設けるものとして説明したが、機械スイッチ１３０Ａ、１３０Ｂの設定数は、これに限定されるものではなく、必要に応じた数を設定するようにすればよい。
【符号の説明】
【００６２】
１０  所定の機器
１００、１００Ａ  操作装置
１１０  ディスプレイ（表示器）
１２０  タッチパネル
１２１  タッチ面
１３０Ａ、１３０Ｂ  機械スイッチ
１３３  入力部材
【図１】
2017182192.tif 000003
【図２】
2017182192.tif 000004
【図３】
2017182192.tif 000005
【図４】
2017182192.tif 000006
【図５】
2017182192.tif 000007